Podtech/llm-jp-corpus-v4-ja_patent huggingface dataset:
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
ポリマー管から形成されたスキャフォールドを備えるステントであって、
−バルーンに圧着されるように構成され、
−前記スキャフォールドは、相互接続された要素のパターンを有し、
−前記スキャフォールドは、前記バルーンによって圧着状態から拡張されると、拡張直径を有し、
前記スキャフォールドは、前記拡張直径の５０％まで圧潰された後には前記拡張直径の約８０％を超える直径になり、
前記スキャフォールドの径方向スティフネスは、０．３  Ｎ／ｍｍよりも大きく、
前記スキャフォールドは、３７℃で自己拡張型特性を呈する、ポリ（Ｌ−ラクチド）（ＰＬＬＡ）と親水性ポリマーとのブロックコポリマーからできており、
前記スキャフォールドは、ストラットによって形成されたリングを有し、
前記ストラットは、冠部を有する波状リングを形成し、
前記リングは、長手方向に延在するリンクによって相互接続され、
前記冠部は、Ｗ字形冠部、Ｙ字形冠部、および自由冠部を含み、
前記リンクは、前記リングのＷ字形冠部を第１の隣接リングに接続し、別の前記リンクは、前記リングのＹ字形冠部を第２の隣接リングに接続し、
前記自由冠部は、前記リンクに接続されておらず、
前記リングは、Ｗ字形冠部、３つの自由冠部、Ｙ字形冠部、３つの自由冠部、およびＷ字形冠部を含む配列の冠部を備える、
ステント。
【請求項２】
前記親水性ポリマーのＴｇは、２５℃よりも低い、
請求項１のステント。
【請求項３】
前記親水性ポリマーは、前記ブロックコポリマーの０．１〜１０重量％である、
請求項１〜２のいずれか１項のステント。
【請求項４】
前記ブロックコポリマーのガラス転移温度（Ｔｇ）は、湿潤生理状態において３７℃〜５０℃の間である、
請求項１〜３のいずれか１項のステント。
【請求項５】
前記ブロックコポリマーのガラス転移温度（Ｔｇ）は、乾燥状態において３７℃〜５０℃の間である、
請求項１〜３のいずれか１項のステント。
【請求項６】
前記親水性ポリマーは、ポリエチレングリコール（ＰＥＧ）である、
請求項１〜５のいずれか１項のステント。
【請求項７】
前記親水性ポリマーは、ポリエチレンオキシド（ＰＥＯ）と、ポリビニルピロリドン（ＰＶＰ）と、ポリビニルアルコール（ＰＶＡ）とから成る群から選択される、
請求項１〜５のいずれか１項のステント。
【請求項８】
前記ブロックコポリマーの親水性ブロック（単数または複数）の重量平均分子量は、１〜３０ｋＤａである、
請求項１〜５のいずれか１項のステント。
【請求項９】
前記ブロックコポリマーは、ＰＬＬＡ−ｂ−ＰＥＧ−ｂ−ＰＬＬＡである、
請求項１〜５のいずれか１項のステント。
【請求項１０】
前記ブロックコポリマーは、ＰＬＬＡ−ｂ−ＰＥＧまたはＰＥＧ−ｂ−ＰＬＬＡ−ｂ−ＰＥＧである、
請求項１〜５のいずれか１項のステント。
【請求項１１】
前記冠部は、前記スキャフォールドが前記拡張直径を有する場合に、約９０°と１１５°の間の最大冠部角度を有する、
請求項１〜１０のいずれか１項のステント。
【請求項１２】
作製されたままの状態において：
前記スキャフォールドの外径は８から１０ｍｍであり、前記スキャフォールドのリングに対する前記冠部角度は９０と１１５°の間であり、前記スキャフォールドの壁厚は少なくとも０．２０ｍｍ（０．００８インチ）である、
請求項１〜１０のいずれか１項のステント。
【請求項１３】
前記スキャフォールドパターンは、複数の冠部を有する対称閉セルを含み、
前記冠部のいずれかは、前記スキャフォールドが前記拡張直径を有する場合に、約９０°と１１５°の間の最大冠部角度を有する、
請求項１〜１０のいずれか１項のステント。
【請求項１４】
前記冠部の配列は、さらに２つのＷ字形冠部および２つのＹ字形冠部を備える、
請求項１〜１３のいずれか１項のステント。
【手続補正２】
【補正対象書類名】明細書
【補正対象項目名】００１４
【補正方法】変更
【補正の内容】
【００１４】
本発明の実施の形態は、ポリマー管から形成されるスキャフォールドを備えるステントであって、バルーンに圧着されるように構成され、前記スキャフォールドは、相互接続される要素のパターンを有し、前記スキャフォールドは、前記バルーンによって圧着状態から拡張される場合に拡張直径を有し、前記スキャフォールドは、その拡張直径の少なくとも５０％まで圧潰された後に約８０％を超えるその直径を達成し、前記スキャフォールドの径方向スティフネスは、０．３  Ｎ／ｍｍよりも大きく、前記スキャフォールドは、３７℃で自己拡張型特性を呈する、ポリ（Ｌ−ラクチド）（ＰＬＬＡ）と親水性ポリマーとのブロックコポリマーからできている、ステントである。
【誤訳訂正書】
【提出日】平成28年1月14日(2016.1.14)
【誤訳訂正１】
【訂正対象書類名】特許請求の範囲
【訂正対象項目名】請求項１
【訂正方法】変更
【訂正の内容】
【請求項１】
第１座標軸線（Ｘ、Ｙ、Ｚ）を有する第１空間基準システムを規定する、ねじ付き物体のねじパラメーターを測定する測定装置であって、該ねじ付き物体は第２座標軸線（Ｘ’、Ｙ’、Ｚ’）を有する第２空間基準システムを規定し、かつ下式で記述される２次式が付随し得る形状を有しており
【数１】
2013527471.tif 000001
ここで
【数２】
2013527471.tif 000002
は３次元空間内の２次式面上の点を表し、Ａは該２次式に付随する対称マトリックスであり、そして
【数３】
2013527471.tif 000003
は該２次の変位ベクトルである場合に於いて、
・該ねじ付き物体の形状を回復する少なくとも１つのコンピュータ制御レーザーセンサー（５’、５”、１６）と、
・前記少なくとも１つのセンサー（５’、５”、１６）が上に設置され、スキャン操作時、予め規定されたスキャンパターン又は軌道に従って、該少なくとも１つのセンサー（５’、５”、１６）をガイドすることが出来るコンピュータ制御機械的移動システムであって、測定点が該スキャンパターン又は軌道に沿って選択され、該選択は、２次形式係数、すなわちＡ及び
【数４】
2013527471.tif 000004
に適合するパラメーターのユニークな決定を可能にするために、該２次形式を記述するマトリックスが、該測定点に対応する空間座標の値が該マトリックス内に挿入された時、最大階数を持つように行われるコンピュータ制御機械的移動システムと、
・該少なくとも１つのセンサー（５’、５”、１６）の出力信号を該機械的移動システムの空間位置と同期させる手段と、
・該スキャン操作中該少なくとも１つのセンサー（５’、５”、１６）を制御し、該被スキャン物体のねじ形状のコンピュータ画像を作り、該画像を記憶し、ねじ特性、特にテーパー、シール直径及び楕円率、ランイン、ランアウト、ねじ直径、該管の多数の母線に沿うピッチ、及びステップ高さについて定量的情報を得るために該コンピュータ画像を解析し、そして該２次形式を記述する前記マトリックスＡを計算し、それにより該ねじ付き物体を該第１空間基準システム内で表し、かくして該第１空間基準システムと第２空間基準システムの間の関係を提供するコンピュータ（３０）と、
・該コンピュータ（３０）を該機械的移動システム及び該少なくとも１つのレーザーセンサーに接続する電子回路と、を具備する測定装置。
【誤訳訂正書】
【提出日】平成28年6月2日(2016.6.2)
【誤訳訂正１】
【訂正対象書類名】明細書
【訂正対象項目名】０００８
【訂正方法】変更
【訂正の内容】
【０００８】
一部の実施形態において、アルギニノコハク酸合成酵素はＰＥＧ化されている。ＰＥＧ化アルギニノコハク酸合成酵素は、任意で、ＰＥＧ１２を含むＰＥＧによりＰＥＧ化される。ＰＥＧ化アルギニノコハク酸合成酵素は、任意で、非分岐ＰＥＧ、分岐ＰＥＧまたはその組合せによりＰＥＧ化される。ＰＥＧに対するアルギノコハク酸合成酵素のいくつかの率が実施可能である。一部の実施形態において、アルギノコハク酸合成酵素およびＰＥＧは、それぞれ１：１から１：４００までの率で存在する。アルギノコハク酸合成酵素のＰＥＧ化は、任意で、無作為的または部位特異的とすることができる。部位特異的なＰＥＧ化は、任意で、アルギノコハク酸合成酵素のリジン、ヒシチジン、システイン、またはこれらの組合せを対象とする。任意で、ＰＥＧ化には、少なくとも１つのＰＥＧ１２分子が含まれ、任意で、ＰＥＧ１２だけが含まれる。任意で、ＰＥＧ分子は共有アミド結合によりアルギノコハク酸合成酵素と結合される。アルギノコハク酸に付加されたＰＥＧ分子は、任意で、直鎖、分岐鎖またはこれらの組合せである。
【誤訳訂正書】
【提出日】平成27年11月11日(2015.11.11)
【誤訳訂正１】
【訂正対象書類名】明細書
【訂正対象項目名】００２２
【訂正方法】変更
【訂正の内容】
【００２２】
ある実施形態では、使用される金属糸は次のとおりである：
金属または合金、特にチタン（Ｔｉ）またはチタン合金からなる糸、および／または
特に炭化ケイ素（ＳｉＣ）からなる中心セラミック繊維、および特にチタン、チタン合金、またはホウ素合金からなる金属または合金コーティングを有する複合糸。
【誤訳訂正書】
【提出日】平成28年2月18日(2016.2.18)
【誤訳訂正１】
【訂正対象書類名】明細書
【訂正対象項目名】０００２
【訂正方法】変更
【訂正の内容】
【０００２】
ケラチン含有繊維を染色するためには、直接染料または酸化染料のいずれかが一般に使用され、酸化染料は、１種または２種以上の顕色構成成分が、互いに、または、１種または２種以上の発色剤構成成分と酸化的カップリングすることにより形成される。顕色剤および発色剤はまた、酸化染料前駆体とも称される。
【誤訳訂正２】
【訂正対象書類名】明細書
【訂正対象項目名】００５５
【訂正方法】変更
【訂正の内容】
【００５５】
上に記載されるまたは好ましいと記載される、式Ｉまたは式ＩＩで表される化合物を、特に、ケラチン含有繊維を染色するための、特にヒトの毛髪を染色するための組成物中で用い、それらは、例えば色固定剤（farbfestiger）、着色されたブロー乾燥ローション、着色されたブロー乾燥フォーム、着色されたリンス、着色されたジェルまたは着色されたクリームから選択される。しかしながら、それらはまた、永久的毛髪染色のための組成物中に、例えばマルチ構成成分系中に存在してもよい。
【誤訳訂正３】
【訂正対象書類名】特許請求の範囲
【訂正対象項目名】請求項６
【訂正方法】変更
【訂正の内容】
【請求項６】
ケラチン含有繊維を染色するための組成物が、色固定剤（farbfestiger）、色がついたブロー乾燥ローション、色がついたブロー乾燥フォーム、色がついたリンス、色がついたジェルまたは色がついたクリームであることを特徴とする、請求項２に記載の使用。
【誤訳訂正書】
【提出日】平成28年2月3日(2016.2.3)
【誤訳訂正１】
【訂正対象書類名】明細書
【訂正対象項目名】０１０４
【訂正方法】変更
【訂正の内容】
【０１０４】
特に示されない限り、用語「任意に置換される」は、水素原子のうちのいずれも置換されないか、水素原子のうちの１個、または２個以上が、アルキル、ヘテロアルキル、ハロアルキル、アルケニル、アルキニル、ヘテロハロアルキル、シクロアルキル、アリール、アリールアルキル、ヘテロアリール、非芳香環、ヒドロキシ、アルコキシ、アリールオキシ、メルカプト、アルキルチオ、アリールチオ、シアノ、ハロ、カルボニル、チオカルボニル、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、Ｃ−カルボキシ、Ｏ−カルボキシ、イソシアナト、チオシアナト、イソチオシアナト、ニトロ、シリル、トリハロメタンスルホニル、オキソ、およびアミノ（一置換および二置換のアミノ基、ならびにアミノ基の保護誘導体を含む）から、個々にかつ独立して選択される１つ以上の基で置換された基を指す。このような保護誘導体（およびこのような保護誘導体を形成し得る保護基）は、当業者に公知であり、前掲のＧｒｅｅｎｅおよびＷｕｔｓなどの参照文献において見出すことができる。２個以上の水素原子が置換された実施形態において、置換基は、一緒に環を形成し得る。
【誤訳訂正書】
【提出日】平成28年5月19日(2016.5.19)
【誤訳訂正１】
【訂正対象書類名】特許請求の範囲
【訂正対象項目名】全文
【訂正方法】変更
【訂正の内容】
【特許請求の範囲】
【請求項１】
野菜粉末としてのブロッコリー粉末の製造方法であって、
ａ．５０℃から１００℃の間の温度で、５時間から１０時間の間の時間に渡って、１５ｍから５０ｍの間の長さのトンネル乾燥機に洗浄された野菜であるブロッコリーを導入する工程、および、
ｂ．工程ａから得られた生成物を粉砕する工程、
を含み、
上記トンネル乾燥機における入口の温度が７５℃から８０℃の間の温度であり、出口の温度が６０℃から６５℃の間であることを特徴とする方法。
【請求項２】
上記トンネル乾燥機の長さが２５ｍから３５ｍの間であることを特徴とする請求項１に記載の方法。
【請求項３】
上記トンネル乾燥機における持続時間が、７時間から８時間の間であることを特徴とする請求項１または２に記載の方法。
【請求項４】
使用される上記野菜は、植物全体または、種子、芽、葉、茎、根、未成熟な花またはこれらの任意の組み合わせを含むリストから選択されることができる植物の一部であることを特徴とする請求項１から３の何れか一項に記載の方法。
【請求項５】
上記植物全体または上記植物の一部が、乾燥重量を基準として、
少なくとも０．５％のグルコシノレート、
少なくとも１．５％のフェノール化合物、ならびに、
少なくとも、２％のカルシウム、２．７％のカリウム、０．７％のナトリウム、０．４％のマグネシウム、０．０３％の鉄、０．０１％のマンガンおよび０．００４％の亜鉛の内容量のミネラルを含むことを特徴とする請求項４に記載の方法。
【請求項６】
ブロッコリー粉末が他の添加物をさらに含むことを特徴とする請求項１から５の何れか一項に記載のブロッコリー粉末の製造方法。
【請求項７】
請求項１から６の何れか一項に記載のブロッコリー粉末の製造方法を使用する、食料製品の製造方法であって、
上記食料製品は、食用の製品、飲料、食餌補強物または食品添加物であることを特徴とする食料製品の製造方法。
【請求項８】
上記食料製品は、ジュース、ミルクシェーキ、煎じ汁、乳製品、アイソトニック飲料、スープ、ソース、サラダ、野菜濃縮物、酢、油、塩、クッキー、穀物食品、パン、他のパンおよび菓子の製品、揚げ物、ゼリー、飴、肉製品、魚製品、キャビアの代用品、他の食用の製品、ならびに、動物用の食餌補助物および食品添加物を含むリストから選択されることを特徴とする請求項７に記載の食料製品の製造方法。
【請求項９】
上記食料製品が乳製品であることを特徴とする請求項８に記載の食料製品の製造方法。
【請求項１０】
上記食料製品がパンまたは菓子の製品であることを特徴とする請求項８に記載の食料製品の製造方法。
【請求項１１】
請求項１から６の何れか一項に記載のブロッコリー粉末の製造方法を使用する植物の除草剤または殺虫剤の製造方法。
【請求項１２】
上記ブロッコリー粉末の重量％が、上記食料製品の作製に対する使用した材料の総重量の１％から８％の間であることを特徴とする請求項７から１０の何れか一項に記載の食料製品の製造方法。
【誤訳訂正２】
【訂正対象書類名】明細書
【訂正対象項目名】００２２
【訂正方法】変更
【訂正の内容】
【００２２】
本発明の第３の側面は、食用の食品、飲料、食餌の補強物または食品添加物における食料製品を製造するための本発明の工程において得られる植物粉末の使用に関する。好ましくは、本発明の植物粉末の使用は、下記に示すものの作製において使用されてもよい。食料品の飲料、以下のリストから選ばれる食餌の補強物および食品添加物。上記リストは、ジュース、ミルクシェーキ、スムージー、香草のお茶および煎じ汁、アイソトニック飲料、乳製品、チーズ、ヨーグルト、スープ、ソース、ドレッシング、野菜凝縮物、酢、油、塩、クッキー、穀物製品、パン、パンおよび菓子の製品およびその前処理混合物、パティセリー（patisseries）、ケーキおよびスィーツ、揚げ物、ゼリー、飴、肉または魚製品、調製物および前処理混合物、キャビアの代用品、摂食用の他の製品、ならびに、食料品に対する補強物および添加物を含む。好ましくは、植物粉末の使用方法として、例えば、チーズおよびヨーグルトなどの乳製品に混ぜる。他の好ましい本発明は、パン、ブレッドスティック、スナック菓子、マフィン、ケーキおよびカップケーキのようなパンおよび菓子の製品における本発明の第２の側面の植物粉末の使用である。好ましくは、本発明の植物粉末の使用は、丸薬、錠剤、カプセル、スプレーの作製において使用されてもよい。
【誤訳訂正書】
【提出日】平成27年11月10日(2015.11.10)
【誤訳訂正１】
【訂正対象書類名】明細書
【訂正対象項目名】００３６
【訂正方法】変更
【訂正の内容】
【００３６】
18．前記対象の選択を、胚、胎児、新生児、幼児、若年者、成人からなるグループの中から行なう、8〜17のいずれか1項に記載の方法。
【誤訳訂正２】
【訂正対象書類名】特許請求の範囲
【訂正対象項目名】全文
【訂正方法】変更
【訂正の内容】
【特許請求の範囲】
【請求項１】
改変したジンクフィンガータンパク質DNA結合ドメインを含むタンパク質であって、
そのDNA結合ドメインが、N末端からC末端に向けてF1〜F4またはF1〜F5の順番で並んだ4つまたは5つのジンクフィンガー認識領域を含み、
（i）DNA結合ドメインが、5つのジンクフィンガー認識領域を含んでいるときには、F1〜F5は、以下のアミノ酸配列：
F1：QSGDLTR（配列番号4）
F2：RSDVLSE（配列番号5）
F3：DRSNRIK（配列番号6）
F4：RSDNLSE（配列番号7）
F5：QNATRIN（配列番号8）を含み；
（ii）DNA結合ドメインが、4つのジンクフィンガー認識領域を含んでいるときには、F1〜F4は、以下のアミノ酸配列：
F1：RSDSLSV（配列番号10）
F2：TSGHLSR（配列番号11）
F3：RSDHLSQ（配列番号12）
F4：HASTRHC（配列番号13）を含む、タンパク質。
【請求項２】
野生型もしくは改変された開裂ドメインまたは開裂半ドメインをさらに含む、請求項1に記載のタンパク質。
【請求項３】
請求項1または2に記載のタンパク質をコードするポリヌクレオチド。
【請求項４】
請求項1または2に記載のタンパク質、または請求項3に記載のポリヌクレオチドを含む、単離された細胞。
【請求項５】
対象の血友病Bを治療するための、肝細胞を含む医薬組成物であって、
機能的なIX因子（FIX）タンパク質をコードする配列が、少なくとも1つのジンクフィンガーヌクレアーゼを用いて該細胞のゲノムに組み込まれ、該ジンクフィンガーヌクレアーゼは、請求項１又は２に記載のタンパク質であるか、又は請求項３に記載のポリヌクレオチドによってコードされる、医薬組成物。
【請求項６】
前記配列が内在性遺伝子に組み込まれている、請求項5に記載の医薬組成物。
【請求項７】
前記内在性遺伝子が、FIX遺伝子およびセーフハーバー遺伝子からなる群より選択される、請求項5または6に記載の医薬組成物。
【請求項８】
前記細胞が肝細胞であり、前記配列が、傷のない動物の肝臓に静脈内投与することによって、または腹腔内投与することによって、または肝臓の柔組織に直接注入することによって、または肝動脈に注入することによって、または胆管を通じて逆行注入することによって、その細胞に送達される、請求項5〜7のいずれか1項に記載の医薬組成物。
【請求項９】
対象の部分的肝除去が更に実施され、および／またはガンマ線照射、UV照射、トリチウム標識したヌクレオチド、シスプラチン、エトポシド、ヒドロキシ尿素、アフィジコリン、プレドニゾロン、アデノウイルス、ならびにこれらの組み合わせからなる群より選択される少なくとも1種類の二次剤が対象に更に投与される、請求項5〜8のいずれか1項に記載の医薬組成物。
【請求項１０】
請求項5〜9のいずれか1項に記載の医薬組成物であって、前記細胞が単離された細胞である、医薬組成物。
【請求項１１】
前記対象が、胚、胎児、新生児、幼児、若年者、成人からなる群より選択される、請求項5〜10のいずれか1項に記載の医薬組成物。
【請求項１２】
前記配列、前記ジンクフィンガーヌクレアーゼ、そのジンクフィンガーヌクレアーゼをコードするポリヌクレオチド、これらの組み合わせのいずれかが、前記細胞の表面受容体に特異的に結合するホーミング剤と組み合わされる、請求項5〜11のいずれか1項に記載の医薬組成物。
【請求項１３】
前記ホーミング剤が、ガラクトースを含むか、AAVコートタンパク質とガラクトースのハイブリッドを含む、請求項12に記載の医薬組成物。
【請求項１４】
前記細胞が、ヒト細胞、非ヒト霊長類細胞、齧歯目細胞、ウサギ目細胞、食肉目細胞、偶蹄類細胞と、幹細胞である胚性幹細胞、造血幹細胞、人工多能性幹細胞、肝細胞、および肝幹細胞からなる群より選択される、請求項8〜13のいずれか1項に記載の医薬組成物。
【誤訳訂正書】
【提出日】平成28年5月20日(2016.5.20)
【誤訳訂正１】
【訂正対象書類名】明細書
【訂正対象項目名】０００８
【訂正方法】変更
【訂正の内容】
【０００８】
本発明の別の好適な態様によれば、光検出器は、さらなる導波路を含む進行波構造を備え、さらなる導波路は、当該さらなる導波路に沿った電気信号の位相速度が能動導波路における光信号の位相速度とほぼ整合するように構成される。
【誤訳訂正２】
【訂正対象書類名】明細書
【訂正対象項目名】００１１
【訂正方法】変更
【訂正の内容】
【００１１】
構造のパラメータによって変わるが、エバネッセント結合は、導波路型光検出器が相対的に長くなることを意味するので、寄生容量が相対的に大きくなることを意味する。しかしながら、本発明の一の態様によれば、副導波路が空乏層またはキャリア収集層にじかに隣接するという状態は、この状態を、光位相速度及び電気位相速度を整合させることにより解決することができる（進行波法）ことを意味する。効果的なことであるが、容量は、検出器の単位長当たり容量、及び電極の単位長当たりインダクタンスによって形成される伝送線路（さらなる導波路）の一部分とされる。進行波構造が良好に構成される場合、検出器に関して帯域幅を制限する主要な要素は、吸収体（能動導波路）を通過する電子走行時間であり、素子の容量ではない。副導波路からのエバネッセント結合とともに進行波（ＴＷ）法を使用することにより、電子走行時間を決定する吸収体の厚さを薄くすることができるので、帯域幅を更に広くすることができる。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
ＨＥＲ２の２種類の異なるエピトープに特異的に結合する結合分子であって、ここで該結合分子は、
（ａ）ＨＥＲ２の第一のエピトープに特異的に結合する第一の結合（ポリ）ペプチド、但し、前記第一の結合（ポリ）ペプチドは配列番号１のアミノ酸配列；または配列番号１のアミノ酸配列と少なくとも９０％、好ましくは少なくとも９５％、さらに好ましくは少なくとも９８％の配列同一性を有するアミノ酸配列を含むかまたはこれからなる；および
（ｂ）ＨＥＲ２の第二のエピトープに特異的に結合する第二の結合（ポリ）ペプチド、但し、前記第二の結合（ポリ）ペプチドは、重鎖が配列番号１５４のアミノ酸配列；または配列番号１５４のアミノ酸配列と少なくとも９５％の配列同一性を有するアミノ酸配列を含むかまたはこれからなり、かつ、軽鎖が配列番号１５５のアミノ酸配列；または配列番号１５５のアミノ酸配列と少なくとも９５％の配列同一性を有するアミノ酸配列を含むかまたはこれからなる抗体である；
を含む。
【請求項２】
前記第一の結合（ポリ）ペプチドと第二の結合（ポリ）ペプチドがリンカーで連結されている、請求項１に記載の結合分子。
【請求項３】
前記リンカーがペプチドリンカーである、請求項２に記載の結合分子。
【請求項４】
前記リンカーが（Ｇｌｙ４Ｓｅｒ）３である、請求項３に記載の結合分子。
【請求項５】
少なくとも１つの追加の（ポリ）ペプチドをさらに含んでいる、請求項１〜４のいずれか１項に記載の結合分子。
【請求項６】
（ｉ）第一の結合（ポリ）ペプチドは配列番号１のアミノ酸配列からなる；および
（ｉｉ）前記第二の結合（ポリ）ペプチドの前記抗体は、配列番号１５４のアミノ酸配列からなる重鎖、および、配列番号１５５のアミノ酸配列からなる軽鎖を有する
請求項１〜５のいずれか１項に記載の結合分子。
【請求項７】
配列番号１のＣ末端が配列番号１５５のＮ末端とリンクする、請求項６に記載の結合分子。
【請求項８】
配列番号１のＣ末端が配列番号１５５のＮ末端と（Ｇｌｙ４Ｓｅｒ）３リンカーを介してリンクする、請求項７に記載の結合分子。
【請求項９】
（ｉ）第一の結合（ポリ）ペプチドは、表面プラズモン共鳴で決定した場合に、ＨＥＲ２結合に関して１×１０−８Ｍの解離定数を有し、かつ
配列番号１７２内にあるエピトープと結合し、前記エピトープは好ましくは配列番号１７２のＴ１６６、Ｒ１８８、Ｐ１９７、Ｓ２０２およびＲ２０３の位置にある；および
（ｉｉ）前記第二の結合（ポリ）ペプチドは、表面プラズモン共鳴で決定した場合に、ＨＥＲ２結合に関して１×１０−９Ｍの解離定数を有する、
請求項１〜８のいずれか１項に記載の結合分子。
【請求項１０】
請求項１〜９のいずれか１項に記載の結合分子をコードしている核酸分子。
【請求項１１】
請求項１０の核酸分子を含んでいるベクター。
【請求項１２】
請求項１１のベクターで形質転換した宿主細胞または非ヒト宿主。
【請求項１３】
好適な条件における請求項１２の宿主細胞の培養、および産生された結合分子の単離を含む、ＨＥＲ２の２種類の異なるエピトープに特異的に結合する結合分子の産生方法。
【請求項１４】
組成物であって、
（ｉ）請求項１〜９のいずれか１項に記載の結合分子；
（ｊｉ）請求項１０に記載の核酸分子；
（ｉｉｉ）請求項１１に記載のベクター；または
（ｉｖ）請求項１２に記載の宿主細胞、
のうちの少なくとも１つを含む、組成物。
【請求項１５】
腫瘍の治療に用いるための、請求項１〜９のいずれか１項に記載の結合分子または請求項１０に記載の核酸分子または請求項１１に記載のベクターまたは請求項１２に記載の宿主細胞であって、前記腫瘍が、好ましくは、乳癌、卵巣癌、膀胱癌、唾液腺癌、子宮内膜癌、膵癌、甲状腺癌、腎臓癌、肺癌、上部消化管に関する癌、結腸癌、結腸直腸癌、前立腺癌、頭頸部の扁平細胞癌、子宮頸癌、膠芽腫、悪性腹水、リンパ腫および白血病からなる群より選択される、前記結合分子、または前記核酸分子または前記ベクターまたは宿主細胞。
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
喫煙品の作製で使用する燃料要素の含水率を変更する方法であって、
出発含水率を有する複数の燃料要素を準備するステップ、
次に、未加熱の周囲空気を燃料要素上に流して含水率を出発含水率以下に低下させるステップ、
次に、燃料要素をより小型のユニットに切断するステップ、
次に、燃料要素を、基材含水率を有する基材を含む喫煙品構成要素に組付けるステップ、および
次に、未加熱の（約１６℃〜約３５℃の）周囲空気を、喫煙品構成要素中に組付けられた燃料要素上に流した後、含水率を、基材含水率と平衡である所定の目標含水率までさらに低下させるステップ
を含む方法。
【請求項２】
出発含水率が約２７％から約３５％である、請求項１に記載の方法。
【請求項３】
出発含水率が約２９％±約１．５％である、請求項１に記載の方法。
【請求項４】
未加熱の周囲空気を燃料要素上に流すステップが、第一端部から第二端部へ、及び第二端部から第一端部への、双方向性空気流を含む、請求項１に記載の方法。
【請求項５】
燃料要素が切断されるより小型のユニットが２アップユニットを備える、請求項１に記載の方法。
【請求項６】
燃料要素が中に組付けられる喫煙品構成要素が２アップ喫煙品を備える、請求項１に記載の方法。
【請求項７】
２アップ喫煙品を個々の喫煙品へと切断するステップをさらに含む、請求項６に記載の方法。
【請求項８】
所定の目標含水率が約１％から約１０％である、請求項１に記載の方法。
【請求項９】
所定の目標含水率が約３％から約８％である、請求項１に記載の方法。
【請求項１０】
燃料要素が中に組付けられる喫煙品構成要素が、さらに外部ラッピング材料およびフィルタのうち１つ以上を備える、請求項１に記載の方法。
【請求項１１】
基材がタバコペレットを含む、請求項１に記載の方法。
【請求項１２】
外部ラッピング材料およびフィルタを喫煙品構成要素に組付けることをさらに含む請求項１に記載の方法に従って作製した、燃料要素を組み込んだ紙巻きタバコ。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
包帯材システムであって、前記包帯材システムは、
第１の縁および第２の縁と、接着剤を備える第１の面とを備える包帯材であって、前記第２の縁は、前記包帯材が非歪状態にあるとき、前記第１の縁に対して非平行かつ非直交である配向を有する、包帯材と、
前記包帯材の第１の縁に直交する第１の歪付与力を前記包帯材に印加し、前記包帯材の第２の縁に直交する第２の歪付与力を前記包帯材に印加するように構成されている歪付与構造と
を備える、包帯材システム。
【請求項２】
前記包帯材は、円形または楕円形である、請求項１に記載の包帯材システム。
【請求項３】
前記第１の縁は、第１の曲率半径を伴う弧状縁を備える、請求項１に記載の包帯材システム。
【請求項４】
前記第２の縁は、第２の曲率半径を伴う弧状縁を備え、前記第２の曲率半径は、前記第１の曲率半径とは異なる、請求項３に記載の包帯材システム。
【請求項５】
前記歪付与構造は、前記包帯材の第１および第２の縁に直交する均一歪付与力を印加するように構成されている、請求項１に記載の包帯材システム。
【請求項６】
前記歪付与構造は、前記包帯材の第１の縁に直交する第１の歪付与力を印加することと、前記包帯材の第２の縁に直交し、かつ前記第１の歪付与力を上回る第２の歪付与力を前記包帯材の第２の縁に印加することとを行うように構成されている、請求項１に記載の包帯材システム。
【請求項７】
前記包帯材に切り離し可能に取着され、前記包帯材の前記第１の縁および前記第２の縁を支持するフレームをさらに備える、請求項１に記載の包帯材システム。
【請求項８】
前記包帯材は、前記包帯材を前記フレームから分離するように構成された剥離領域を備える、請求項７に記載の包帯材システム。
【請求項９】
前記剥離領域は、ミシン目領域、穿孔領域のうちの少なくとも１つを備え、または引張線を備える、請求項８に記載の包帯材システム。
【請求項１０】
前記フレームは、前記歪付与構造に接着されるように構成されている、請求項７に記載の包帯材システム。
【請求項１１】
前記フレームは、外側縁と、内側縁と、前記内側縁によって囲繞された開口部とを備え、前記歪付与構造は、前記フレームの開口部を通して押動され、かつ、前記包帯材に歪を付与するように構成されている、請求項７に記載の包帯材システム。
【請求項１２】
歪付与構造は、ベースおよび隆起突出部を備える、請求項１に記載の包帯材システム。
【請求項１３】
前記フレームは、前記歪付与構造と力学的相互嵌合を形成する、請求項７に記載の包帯材システム。
【請求項１４】
前記フレームは、前記第１の面と反対の前記包帯材の第２の面に連結され、前記歪付与構造は、前記包帯材の第２の面に対して押動するように構成された遠位面を備える、請求項７に記載の包帯材システム。
【請求項１５】
前記歪付与構造の遠位面は、前記包帯材、前記フレームの開口部、前記ベース、または前記ベースとの交点における側壁の形状のうちの少なくとも１つに類似する一般的形状を備える、請求項１４に記載の包帯材システム。
【請求項１６】
前記包帯材を前記フレームから切断するように構成された切断構造をさらに備える、請求項７に記載の包帯材システム。
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
概して相対する平行な第１の主表面及び第２の主表面を有するポリマー層であって、前記第１の主表面と前記第２の主表面との間に延在する開口部の配列を含み、前記開口部はそれぞれ、最小面積から最大面積の範囲で前記第１の主表面及び前記第２の主表面から前記開口部を通して一連の面積を有し、前記第１の主表面及び前記第２の主表面にはそれぞれ、総面積及び総開放面積があり、前記第１の主表面及び前記第２の主表面のそれぞれの前記総開放面積は、それぞれの前記主表面の前記総面積の５０パーセント以下であり、少なくとも大部分の前記開口部について、前記最小面積がどちらの前記主表面においても存在しない、ポリマー層。
【請求項２】
前記第１の主表面及び前記第２の主表面のそれぞれの前記総開放面積は、それぞれの前記主表面の前記総面積の０．１パーセント〜５０パーセント以下の範囲である、請求項１に記載のポリマー層。
【請求項３】
前記第１の主表面及び前記第２の主表面のそれぞれの前記総開放面積は、それぞれの前記主表面の前記総面積の１パーセント以下である、請求項１に記載のポリマー層。
【請求項４】
５０，０００〜６，０００，０００開口部／ｍ２の範囲を有する、請求項１〜３のいずれか一項に記載のポリマー層。
【請求項５】
少なくともいくつかの前記開口部は、第１の高分子材料を含む前記第１の主表面上の第１の側と、第２の異なる高分子材料を含む前記第１の主表面上の相対する第２の側とを有する、請求項１〜４のいずれか一項に記載のポリマー層。
【請求項６】
概して相対する平行な第１の主表面及び第２の主表面を有するポリマー層であって、前記第１の主表面と前記第２の主表面との間に延在する開口部の配列を含み、前記開口部はそれぞれ、最小面積から最大面積の範囲で前記第１の主表面及び前記第２の主表面から前記開口部を通して一連の面積を有し、少なくとも大部分の前記開口部について、前記開口部のそれぞれの前記面積が５ｍｍ２以下であり、少なくとも大部分の前記開口部について、前記最小面積がどちらの前記主表面においても存在しない、ポリマー層。
【請求項７】
５０，０００〜６，０００，０００開口部／ｍ２の範囲を有する、請求項６に記載のポリマー層。
【請求項８】
少なくともいくつかの前記開口部は、第１の高分子材料を含む前記第１の主表面上の第１の側と、第２の異なる高分子材料を含む前記第１の主表面上の相対する第２の側とを有する、請求項６又は７に記載のポリマー層。
【請求項９】
内部に開口部を有するポリマー層を製造する方法であって、配列全体にわたって結合領域で定周期的に一緒に結合されるポリマーストランドの前記配列を含む網を、ニップに通す、又はカレンダリングすることの少なくとも１つを含み、前記網は２ｍｍまでの厚さを有し、前記ポリマーストランドは互いに交差しない、方法。
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
骨を結合するためのシステムであって、
外科用の包囲部材と、
かしめ領域を有する締結部材であって、窓部が形成された締結部材と
を備え、
前記締結部材は、前記包囲部材が前記かしめ領域を貫通して延在し、それから前記かしめ領域の外で前記窓部に架かり、且つ、前記包囲部材が骨の一部の周りにループを形成する、前記包囲部材との配置を形成するように構成され、
前記かしめ領域は、前記ループが前記骨の一部の周りに固定されるように、かしめられるように構成され、
前記窓部は、前記包囲部材を切断するためのアクセスを提供するように構成されている、システム。
【請求項２】
前記窓部内で前記包囲部材を切断できる切断工具をさらに備える、請求項1に記載のシステム。
【請求項３】
前記締結部材は、底面領域と反対の上面領域を有すると共に、前記包囲部材を前記上面領域と前記底面領域との間で前記締結部材を貫通して延在させるための経路が形成されている、請求項1又は2に記載のシステム。
【請求項４】
前記窓部は閉じられた周囲部を含む、請求項1から3のうちの何れか一項に記載のシステム。
【請求項５】
前記外科用の包囲部材は、ワイヤ、もしくはケーブル、またはワイヤ及びケーブルの両方を備える、請求項1から4のうちの何れか一項に記載のシステム。
【請求項６】
前記締結部材は、前記包囲部材が前記ループを形成すると共に前記かしめ領域の外で前記窓部に架かるように、前記包囲部材と共にすでに組み立てられており、
前記かしめ領域は、前記ループの両端が前記締結部材に固定されるようにかしめられている、請求項1から5のうちの何れか一項に記載のシステム。
【請求項７】
前記締結部材は、1つまたは複数の包囲部材によって形成された一対のループを固定するように構成された一対のかしめ領域を含む、請求項1から6のうちの何れか一項に記載のシステム。
【請求項８】
前記一対のかしめ領域は互いと斜めまたは直角に配置される、請求項7に記載のシステム。
【請求項９】
前記締結部材には複数の開口が形成され、前記システムは複数の突起部材をさらに備え、前記複数の突起部材は、各々の前記突起部材の先端部が前記骨と螺合しないために前記締結部材から調整可能な距離で突出する状態で、前記締結部材と螺合し、前記複数の開口に受け入れられるように構成される、請求項1から8のうちの何れか一項に記載のシステム。
【請求項１０】
前記締結部材には、かしめ工具の一対の顎部を前記かしめ領域へと案内するように構成された少なくとも１つの開口が形成される、請求項1から9のうちの何れか一項に記載のシステム。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
ポビドン-ヨウ素の複合体が分散されているアルギン酸塩のマトリックスから成るかまたはそれを含む、防腐作用を有する医療機器の製造のための複合材料であって、アルギン酸塩およびポビドン-ヨウ素の総量に対して55重量%〜80重量%のアルギン酸塩および45%〜20重量%のポビドン-ヨウ素を含む、該複合材料。
【請求項２】
該マトリックスがアルギン酸ナトリウムもしくはアルギン酸カリウムまたは架橋したアルギン酸カルシウムである、請求項１に記載の複合材料。
【請求項３】
タンパク質、ペプチド、精油、界面活性物質、ポリエチレングリコールまたはそれらの混合物から選択される、該材料の力学的特性を変化させることができる少なくとも1つの他の物質と組み合わせて、上記の特定の比率で、アルギン酸塩およびPVPIから実質的に成るかあるいはアルギン酸塩およびPVPIを含む、請求項１または２に記載の複合材料。
【請求項４】
アルギン酸塩およびPVPIの総量に対して60重量%〜76重量%のアルギン酸塩および40重量%〜24重量%のPVPI、好ましくは65重量%〜75重量%のアルギン酸塩および35重量%〜25重量%のPVPIを含む請求項１〜３のいずれか一項に記載の複合材料であって、タンパク質、ペプチド、精油、界面活性物質、ポリエチレングリコールまたはそれらの混合物から選択される、該材料の力学的特性を変化させることができる少なくとも1つの他の物質と組み合わせて、上記の特定の比率で、アルギン酸塩およびPVPIから実質的に成るかあるいはアルギン酸塩およびPVPIを含む、該複合材料。
【請求項５】
アルギン酸塩およびPVPIの総量に対して、5重量%〜35重量%の量で可塑剤、とりわけグリセロールを含む、請求項１〜４のいずれか一項に記載の複合材料。
【請求項６】
アルギン酸塩およびPVPIの総量に対して、55〜80%のマトリックス材料としてのアルギン酸塩、45〜20%のPVPI、および5重量%〜35重量%の量の可塑剤、タンパク質、ペプチドもしくは界面活性物質から成る、請求項５に記載の複合材料。
【請求項７】
請求項１〜６のいずれか一項に記載の複合材料から成る、防腐性活性を有していて、PVPIの放出に適合した、膜、マイクロカプセルまたは縫合糸の形態の医療機器。
【請求項８】
防腐剤としてPVPIが分散されている水溶性アルギン酸塩マトリックス、および適宜、可塑剤から成る、自立膜の形態の請求項７に記載の医療機器。
【請求項９】
適宜、可塑剤、タンパク質またはペプチドの存在下において、PVPIが分散されている架橋したアルギン酸カルシウムから成る、マイクロカプセルの形態の請求項７に記載の医療機器。
【請求項１０】
水不溶性アルギン酸カルシウムのマトリックスから成り、PVPIおよび、適宜、グリセロール、タンパク質、ペプチド、精油、界面活性物質またはそれらの混合物から選択される縫合材料の力学的特性を増大させるための物質を含む、縫合糸の形態の請求項７に記載の医療機器。
【請求項１１】
外傷および創傷の治療的処置において用いるための、請求項１〜６のいずれか一項に記載の複合材料。
【請求項１２】
糖尿病患者における外傷および創傷の処置において用いるための、アルギン酸塩以外の多糖を含まない、請求項１１に記載の複合材料。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
機器付き外科デバイスであって、
手術野内で外科施術を実行する外科器具と、
外科器具に連動的に接続されるセンサーにして、血管の大きさに対して手術野を監視するセンサーとを備える機器付き外科デバイス。
【請求項２】
前記外科器具は、捕捉器具、解剖器具、鉗子、クランプ、組織封止器具、クリップ適用具、持針器、骨パンチ、キューレット、トロカール、生検パンチ、はさみ、外科用メス、フック、摘出具、レーザー外科用メス、レーザー焼灼具、電気焼灼具、超音波凝固具、超音波凝結具のうちの一つ又は複数から選択される請求項１に記載の機器付き外科デバイス。
【請求項３】
前記センサーは、血管が手術野で検出された場合、警報信号を発生させる請求項１又は２に記載の機器付き外科デバイス。
【請求項４】
前記センサーは、手術野で検出された血管が所定閾値を超える場合、警報信号を発生させる請求項１〜３のいずれか１項に記載の機器付き外科デバイス。
【請求項５】
前記センサーに連動的に接続されるインジケータを更に備え、該インジケータは、
警報信号に応答して視覚警報表示を発生させる視覚ディスプレイと、
警報信号に応答して聴覚警報表示を発生させるスピーカと、
警報信号に応答して触覚警報表示を発生させる振動発生器と、
外科器具の作動を停止するために外科器具に連動的に接続される工具ロック要素とのうちの一つ又は複数から選択される請求項１〜４のいずれか１項に記載の機器付き外科デバイス。
【請求項６】
前記外科器具は、静止切断エッジ、一組のはさみブレード、レーザー、一つ又は複数の電極、超音波発信機、及び一組のジョーのうちの一つ又は複数から選択される機能要素を備える請求項１〜５のいずれか１項に記載の機器付き外科デバイス。
【請求項７】
前記一つ又は複数の電極は、前記第１ジョー及び／又は第２ジョーに配置される請求項６に記載の機器付き外科デバイス。
【請求項８】
前記センサーは、光学送信機と光学受信機とを備え、該光学送信機及び光学受信機は、別個の把持ジョーに配置される請求項１〜７のいずれか１項に記載の機器付き外科デバイス。
【請求項９】
少なくとも一つの光ケーブルが光学送信機及び光学受信機に連動的に接続される請求項８に記載の機器付き外科デバイス。
【請求項１０】
前記センサーは、光学送信機と、光学受信機とを備え、前記光学送信機及び光学受信機は、反射モードにおいて外科器具の同じ側に配置される請求項１〜７のいずれか１項に記載の機器付き外科デバイス。
【請求項１１】
前記光学受信機は、発光ダイオードを含む請求項８〜１０のいずれか１項に記載の機器付き外科デバイス。
【請求項１２】
前記センサーは超音波ドップラープローブを備える請求項１〜７のいずれか１項に記載の機器付き外科デバイス。
【請求項１３】
前記血管の大きさを定義するある量の処理データを発生させるため、前記センサーから受信した一つ又は複数の出力を処理するデータ後処理モジュールと、
前記血管の大きさを決定するために前記量の処理データを分析する構造アーチファクト検出モジュールとを更に備える請求項１〜１２のいずれか１項に記載の機器付き外科デバイス。
【請求項１４】
前記血管の大きさを評価し、前記血管の大きさが所定の閾値条件を超えた場合に、警報信号を発生させる警報信号モジュールと、
前記警報信号に応じて警報表示を発生させる警報表示モジュールとを更に備える請求項１〜１３のいずれか１項に記載の機器付き外科デバイス。
【請求項１５】
前記血管の大きさについてのデータからなる画像を発生させる、前記センサーに連動的に接続される視覚ディスプレイを更に備える請求項１〜１４のいずれか１項に記載の機器付き外科デバイス。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
空気から不必要な物質を除去するための空気フィルターであって：
ろ過媒体；および
ろ過媒体に付加した少なくとも１種の反応物質；
を含む空気フィルター。
【請求項２】
ろ過媒体は通気性の構造を含む、請求項１に記載の空気フィルター。
【請求項３】
通気性の構造は連続気泡フォームを含む、請求項２に記載の空気フィルター。
【請求項４】
連続気泡フォームは連続気泡ポリウレタンフォームを含む、請求項３に記載の空気フィルター。
【請求項５】
連続気泡ポリウレタンフォームは２０ＰＰＩの細孔の特徴を有する、請求項４に記載の空気フィルター。
【請求項６】
通気性の構造はポリウレタン、ポリエチレン、シリコーン、ゴム、ポリ塩化ビニル、およびフィルターを通過する物質の影響に対して耐性のあるその他の材料からなる群のうちの少なくとも１種で形成された連続気泡フォームを含む、請求項３に記載の空気フィルター。
【請求項７】
通気性の構造はガラス繊維を含む、請求項２に記載の空気フィルター。
【請求項８】
通気性の構造はポリウレタン繊維を含む、請求項２に記載の空気フィルター。
【請求項９】
少なくとも１種の反応物質はクエン酸を含む、請求項１に記載の空気フィルター。
【請求項１０】
クエン酸はクエン酸の結晶を含む、請求項８に記載の空気フィルター。
【請求項１１】
クエン酸の結晶は大部分が２５のＡＳＴＭメッシュと５０のＡＳＴＭメッシュの間の平均粒径を有する、請求項１０に記載の空気フィルター。
【請求項１２】
少なくとも１種の反応物質はシュウ酸、酒石酸、マレイン酸、アスコルビン酸、コハク酸、および無水リン酸からなる群のうちの少なくとも１種を含む、請求項１に記載の空気フィルター。
【請求項１３】
少なくとも１種の反応物質は接着剤を用いてろ過媒体に付加されている、請求項１に記載の空気フィルター。
【請求項１４】
接着剤はポリ酢酸ビニル、エチレン酢酸ビニル共重合体、アクリル共重合体およびその他の乳濁液からなる群から選択される、請求項１３に記載の空気フィルター。
【請求項１５】
ろ過媒体に付加された複数の反応物質を含む、請求項１に記載の空気フィルター。
【請求項１６】
酸の除去段階をさらに含む、請求項１に記載の空気フィルター。
【請求項１７】
溶媒の除去段階をさらに含む、請求項１に記載の空気フィルター。
【請求項１８】
酸の除去段階と溶媒の除去段階をさらに含む、請求項１に記載の空気フィルター。
【請求項１９】
空気から不必要な物質を除去するための方法であって：
ろ過媒体、およびろ過媒体に付加した少なくとも１種の反応物質を含む空気フィルターを用意する工程；および
ろ過すべき空気を空気フィルターに通し、それにより空気から不必要な物質を除去する工程；
を含む方法。
【請求項２０】
ろ過媒体は通気性の構造を含む、請求項１９に記載の方法。
【請求項２１】
通気性の構造は連続気泡フォームを含む、請求項２０に記載の方法。
【請求項２２】
連続気泡フォームは連続気泡ポリウレタンフォームを含む、請求項２１に記載の方法。
【請求項２３】
連続気泡ポリウレタンフォームは２０ＰＰＩの細孔の特徴を有する、請求項２２に記載の方法。
【請求項２４】
通気性の構造はポリウレタン、ポリエチレン、シリコーン、ゴム、ポリ塩化ビニル、およびフィルターを通過する物質の影響に対して耐性のあるその他の材料からなる群のうちの少なくとも１種で形成された連続気泡フォームを含む、請求項２１に記載の方法。
【請求項２５】
通気性の構造はガラス繊維を含む、請求項２０に記載の方法。
【請求項２６】
通気性の構造はポリウレタン繊維を含む、請求項２０に記載の方法。
【請求項２７】
少なくとも１種の反応物質はクエン酸を含む、請求項１９に記載の方法。
【請求項２８】
クエン酸はクエン酸の結晶を含む、請求項２７に記載の方法。
【請求項２９】
クエン酸の結晶は大部分が２５のＡＳＴＭメッシュと５０のＡＳＴＭメッシュの間の平均粒径を有する、請求項２８に記載の方法。
【請求項３０】
少なくとも１種の反応物質はシュウ酸、酒石酸、マレイン酸、アスコルビン酸、コハク酸、および無水リン酸からなる群のうちの少なくとも１種を含む、請求項１９に記載の方法。
【請求項３１】
少なくとも１種の反応物質は接着剤を用いてろ過媒体に付加されている、請求項１９に記載の方法。
【請求項３２】
接着剤はポリ酢酸ビニル、エチレン酢酸ビニル共重合体、アクリル共重合体およびその他の乳濁液からなる群から選択される、請求項３１に記載の方法。
【請求項３３】
ろ過媒体に付加された複数の反応物質を含む、請求項１９に記載の方法。
【請求項３４】
酸の除去段階をさらに含む、請求項１９に記載の方法。
【請求項３５】
溶媒の除去段階をさらに含む、請求項１９に記載の方法。
【請求項３６】
酸の除去段階と溶媒の除去段階をさらに含む、請求項１９に記載の方法。
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
心肺蘇生（ＣＰＲ）装置とともに使用する生理学的センサにおいて、前記センサが、
生理学的信号を検出する少なくとも１つのカメラ素子と、
患者の体のエリアを照射する少なくとも１つの照射素子と、
前記少なくとも１つのカメラ素子及び前記少なくとも１つの照射素子を受けるハウジングと、
前記ＣＰＲに対して最適化された動作パラメータを決定するコントローラに前記生理学的信号の測定値を供給する出力素子と、
を有し、前記ハウジングが、自動ＣＰＲ装置又は前記患者の体のいずれかにおける前記センサの固定に対する固定素子を有する、生理学的センサ。
【請求項２】
前記固定素子が、患者の体に配置される吸着カップ型素子である、請求項１に記載の生理学的センサ。
【請求項３】
前記固定素子が、患者の体に配置されるゴーグル型素子である、請求項１に記載の生理学的センサ。
【請求項４】
前記固定素子が、患者の体に配置されるバンド固定型素子である、請求項１に記載の生理学的センサ。
【請求項５】
外光から遮蔽する遮蔽素子を有する、請求項１ないし４のいずれか一項に記載の生理学的センサ。
【請求項６】
前記カメラ素子が、前記生理学的信号の検出に対して最適な場所を選択する、請求項１ないし５のいずれか一項に記載の生理学的センサ。
【請求項７】
前記カメラ素子が、前記検出された生理学的信号の振幅に基づいて、前記患者の体のエリアを自動的にセグメント化し、最も強い検出された生理学的信号を持つ領域を選択する、請求項６に記載の生理学的センサ。
【請求項８】
前記カメラ素子が、単色、カラー又は赤外カメラ素子の少なくとも１つである、請求項１ないし７のいずれか一項に記載の生理学的センサ。
【請求項９】
前記少なくとも１つのカメラ素子が、プレチスモグラフィ信号を測定する、請求項１ないし８のいずれか一項に記載の生理学的センサ。
【請求項１０】
血流に関する生理学的信号の測定値を供給する、請求項１ないし９のいずれか一項に記載の生理学的センサと、
前記少なくとも１つのセンサから前記測定を受け取り、前記ＣＰＲに対して最適化された動作パラメータを決定するコントローラと、
を有する自動心肺蘇生装置。
【請求項１１】
前記圧迫に関連した動作パラメータに対する修正を救助者に示す指示素子、
を有する、請求項１０に記載された自動心肺蘇生装置。
【請求項１２】
胸部圧迫アクチュエータ、
アクチュエータドライバであって、前記アクチュエータドライバの動作パラメータに依存して前記胸部圧迫アクチュエータに駆動信号を供給するアクチュエータドライバ、
を有する請求項１０に記載の自動心肺蘇生装置。
【手続補正書】
【提出日】平成28年2月17日(2016.2.17)
【手続補正１】
【補正対象書類名】明細書
【補正対象項目名】０００５
【補正方法】変更
【補正の内容】
【０００５】
そのような圧縮装置は、リンパ浮腫、および静脈うっ滞性潰瘍、軟部組織損傷、および末梢動脈障害を含む他の病状の治療に利用することができ、深部静脈血栓の予防は、そのような圧縮装置を利用することで改善することができる。しかし、リンパ浮腫に有用な治療プロトコールは他の病状に適していないこともある。様々な治療プロトコールを支援する空気圧縮装置を実装し、制御するための改良されたシステムおよび方法が望まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００６／０１６１０８１号明細書
（特許文献２）  米国特許出願公開第２００８／０２８１２４０号明細書
（特許文献３）  米国特許第６，７３６，７８７号明細書
（特許文献４）  米国特許第４，４２４，８０６号明細書